(57)【特許請求の範囲】
【請求項１】
複数のＬＥＤと、該複数のＬＥＤが一列に配置される配線基板と、を備え、
前記複数のＬＥＤは、複数の第１ＬＥＤと、複数の第２ＬＥＤとを含み、
前記複数の第１ＬＥＤそれぞれは、白色の光を放射する白色ＬＥＤであり、
前記複数の第２ＬＥＤは、異なる有彩色の光を放射する２種類以上の有色ＬＥＤを含み、
前記２種類以上の有色ＬＥＤは、隣接して配置される有色ＬＥＤから放射された異なる有彩色の光の混色により白色の光を放射し、
前記複数のＬＥＤは、一対の第１ＬＥＤと、該一対の第１ＬＥＤに挟まれる複数の第２ＬＥＤとでグループを形成し、
該グループは、同一の前記配線基板に、繰り返して一列に配置されており、
前記グループ内における前記第１ＬＥＤと該第１ＬＥＤに隣接する第２ＬＥＤとの間の第１距離は、隣接する前記グループにおける隣接する第１ＬＥＤ同士の間の第２距離よりも短く、
前記グループ内における隣接する第２ＬＥＤ同士の間の第３距離は、前記第１距離よりも短いことを特徴とするＬＥＤモジュール。
【請求項２】
前記２種類以上の有色ＬＥＤは、赤色光を放射する１個の赤色ＬＥＤと、緑色光を放射する１個の緑色ＬＥＤと、青色光を放射する１個の青色ＬＥＤとを含むことを特徴とする請求項１に記載のＬＥＤモジュール。
【請求項３】
請求項１または請求項２に記載の前記ＬＥＤモジュールと、該ＬＥＤモジュールが取り付けられる器具本体と、を備えていることを特徴とする照明器具。
【発明の詳細な説明】
【技術分野】
【０００１】
本発明は、ＬＥＤモジュールおよび照明器具に関し、特に、複数のＬＥＤを光源とするＬＥＤモジュールおよびそれを備えた照明器具に関する。
【背景技術】
【０００２】
近年、複数のＬＥＤを光源とするＬＥＤモジュールを備えた照明器具が利用され始めている。
【０００３】
この種のＬＥＤモジュールとしては、異なる色度の光を出射する複数のＬＥＤが１つのグループを構成し、各グループ間の距離が、グループ内の隣接するＬＥＤ間の距離よりも大きく設定された発光装置が知られている（たとえば、特許文献１）。
【０００４】
特許文献１の発光装置は、グループの各々が、白色の光を出射するＬＥＤを含んでいる。特許文献１の発光装置は、ＬＥＤを等間隔に配置する場合に比べ、各グループ内でＬＥＤからの光が混色されやすくなるので、色むらのない白色の光を得ることが容易となる、とされている。
【０００５】
別のＬＥＤモジュールとしては、複数の単色ＬＥＤをＹ方向に一直線に配列して構成されたマルチチップ型フルカラーＬＥＤと、シングルチップ型白色ＬＥＤとが、Ｘ方向に一直線に等間隔配置されたＬＥＤ光源も知られている（たとえば、特許文献２）。
【先行技術文献】
【特許文献】
【０００６】
【特許文献１】特開２０１２−１７４８６７号公報
【特許文献２】特開２００８−１３５４５９号公報
【発明の概要】
【発明が解決しようとする課題】
【０００７】
ところで、ＬＥＤモジュールでは、複数のＬＥＤを一列に配置させる場合において、より色むらが少ない構成が求められており、上述のＬＥＤモジュールの構成だけでは十分でなく、更なる改良が求められている。
【０００８】
本発明は上記事由に鑑みて為されたものであり、その目的は、より色むらが少ないＬＥＤモジュールおよびそれを備えた照明器具を提供することにある。
【課題を解決するための手段】
【０００９】
本発明のＬＥＤモジュールは、複数のＬＥＤと、配線基板と、を備えている。上記配線基板は、上記複数のＬＥＤが一列に配置される。上記複数のＬＥＤは、複数の第１ＬＥＤと、複数の第２ＬＥＤと、を含んでいる。上記複数の第１ＬＥＤそれぞれは、白色の光を放射する白色ＬＥＤである。上記複数の第２ＬＥＤは、異なる有彩色の光を放射する２種類以上の有色ＬＥＤを含んでいる。上記２種類以上の有色ＬＥＤは、隣接して配置される有色ＬＥＤから放射された異なる有彩色の光の混色により白色の光を放射する。上記複数のＬＥＤは、一対の第１ＬＥＤと、当該一対の第１ＬＥＤに挟まれる複数の第２ＬＥＤとでグループを形成している。上記グループは、同一の前記配線基板に、繰り返して一列に配置されている。上記グループ内における第１ＬＥＤと当該第１ＬＥＤに隣接する第２ＬＥＤとの間の第１距離は、隣接する上記グループにおける隣接する第１ＬＥＤ同士の間の第２距離よりも短く、前記グループ内における隣接する第２ＬＥＤ同士の間の第３距離は、前記第１距離よりも短いことを特徴とする。
【００１０】
本発明の照明器具は、上述の上記ＬＥＤモジュールと、当該ＬＥＤモジュールが取り付けられる器具本体と、を備えたことを特徴とする。
【発明の効果】
【００１１】
本発明のＬＥＤモジュールは、より色むらを少なくすることが可能となる。
【００１２】
本発明の照明器具は、より色むらが少ないＬＥＤモジュールを備えた構成とすることができる。
【図面の簡単な説明】
【００１３】
【図１】実施形態１のＬＥＤモジュールの要部を説明する部分拡大図である。
【図２】実施形態１のＬＥＤモジュールを説明する正面図である。
【図３】実施形態１のＬＥＤモジュールの構成を示す模式的な回路図である。
【図４】ＬＥＤモジュールに生ずる色むらを説明する説明図である。
【図５】実施形態２の照明器具を示す断面図である。
【図６】実施形態２の照明器具を説明する正面図である。
【図７】実施形態２の照明器具を示す側面図である。
【図８】実施形態２の照明器具の電気的接続を示す模式図である。
【発明を実施するための形態】
【００１４】
（実施形態１）
以下では、本実施形態のＬＥＤモジュール１０について、図１ないし図４を参照して説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１５】
本実施形態のＬＥＤモジュール１０は、図１および図２に示すように、複数のＬＥＤ２と、配線基板３と、を備えている。配線基板３は、複数のＬＥＤ２が一列に配置される。複数のＬＥＤ２は、複数の第１ＬＥＤ２ｆと、複数の第２ＬＥＤ２ｓと、を含んでいる。複数の第１ＬＥＤ２ｆそれぞれは、白色の光を放射する白色ＬＥＤである。複数の第２ＬＥＤ２ｓは、異なる有彩色の光を放射する２種類以上の有色ＬＥＤ２ｃを含んでいる。２種類以上の有色ＬＥＤ２ｃは、隣接して配置される有色ＬＥＤ２ｃから放射された異なる有彩色の光の混色により白色の光を放射する。複数のＬＥＤ２は、一対の第１ＬＥＤ２ｆと、一対の第１ＬＥＤ２ｆに挟まれる複数の第２ＬＥＤ２ｓとで、グループ１０Ｇを形成している。図１では、１つのグループ１０Ｇを一点鎖線で囲んで示している。複数のＬＥＤ２は、グループ１０Ｇを繰り返して一列に配置されている。グループ１０Ｇ内における第１ＬＥＤ２ｆと第１ＬＥＤ２ｆに隣接する第２ＬＥＤ２ｓとの間の第１距離２Ｎは、隣接するグループ１０Ｇにおける隣接する第１ＬＥＤ２ｆ同士の間の第２距離２Ｌよりも短い。図１では、第１ＬＥＤ２ｆの中心と隣接する第２ＬＥＤ２ｓの中心との間の中心距離で第１距離２Ｎを例示し、第１ＬＥＤ２ｆの中心と隣接する第１ＬＥＤ２ｆの中心との間の中心距離で第２距離２Ｌを例示している。
【００１６】
本実施形態のＬＥＤモジュール１０は、グループ１０Ｇ内における第１ＬＥＤ２ｆと第２ＬＥＤ２ｓとの間の第１距離２Ｎが、隣接するグループ１０Ｇにおける第１ＬＥＤ２ｆ同士の間の第２距離２Ｌよりも短いことで、より色むらを少なくすることが可能となる。
【００１７】
以下では、本実施形態のＬＥＤモジュール１０の構成について、より具体的に説明する。
【００１８】
ＬＥＤモジュール１０は、ＬＥＤ２と配線基板３とに加え、各種の電子部品３ｊを備えている。ＬＥＤ２は、たとえば、ＬＥＤパッケージを利用することができる。ＬＥＤパッケージは、ＬＥＤチップ２ｊと、パッケージ２ｍと、封止部２ｎとを有する構成とすることができる。パッケージ２ｍは、直方体状の外形形状に形成することができる。パッケージ２ｍの材料としては、たとえば、合成樹脂材料を用いることができる。パッケージ２ｍは、正面視において、ＬＥＤチップ２ｊを収納する凹所を備えた構成とすることができる。パッケージ２ｍは、凹所の形状を適宜の形状にすることで、ＬＥＤ２から放射される光の指向角を所定の角度にすることができる。パッケージ２ｍは、アノード電極とカソード電極とが、背面側に設けられた構成とすることができる。アノード電極は、凹所に収納されたＬＥＤチップ２ｊの正極と電気的に接続されるよう構成される。カソード電極は、凹所に収納されたＬＥＤチップ２ｊの負極と電気的に接続されるよう構成される。アノード電極およびカソード電極は、たとえば、銅材を用いることができる。銅材は、たとえば、銀やニッケルなどでめっき処理することができる。
【００１９】
封止部２ｎは、パッケージ２ｍの凹所において、ＬＥＤチップ２ｊを封止する。封止部２ｎは、ＬＥＤチップ２ｊから放射された光を透過する透光性を備えている。封止部２ｎの材料としては、たとえば、シリコーン樹脂、エポキシ樹脂若しくはガラスなどを用いることができる。封止部２ｎは、ＬＥＤチップ２ｊから放射される光を拡散する拡散材を含有させてもよい。拡散材の材料としては、たとえば、酸化珪素若しくは酸化チタンなどを用いることができる。
【００２０】
ＬＥＤ２は、ＬＥＤチップ２ｊと、パッケージ２ｍと、封止部２ｎとを有する構成だけに限られない。ＬＥＤ２は、レンズを備えていてもよい。レンズは、ＬＥＤチップ２ｊからの光を、集光若しくは拡散して放射できればよい。ＬＥＤ２は、レンズにより、所定の配光の光を放射させることができる。ＬＥＤ２は、パッケージ２ｍの凹所の形状やレンズの形状により、放射される光を狭角配光とすることで、所定の照射領域に効率よく光を放射させることが可能となる。狭角配光のＬＥＤ２としては、最大光度の１／２の光度方向と、光軸とがなす角の２倍を示す１／２光度角を、１５°未満とした構成が挙げられる。ＬＥＤ２は、ＬＥＤチップ２ｊと、ＬＥＤチップ２ｊを配置させる実装基板と、ＬＥＤチップ２ｊを覆う透光性の被覆部とを有する構成としてもよい。ＬＥＤ２は、所定の色調の光を放射できる限り、ＬＥＤチップ２ｊ単体を用いてもよい。
【００２１】
ＬＥＤ２のうち、第１ＬＥＤ２ｆは、白色ＬＥＤを用いている。白色ＬＥＤは、たとえば、ＬＥＤチップ２ｊに、青色ＬＥＤチップを用いることができる。白色ＬＥＤは、封止部２ｎに、青色ＬＥＤチップから放射される青色光により励起されて黄色光を放射する黄色蛍光体を含ませることができる。白色ＬＥＤは、青色ＬＥＤチップから放射される青色光と、黄色蛍光体から放射される黄色光との混色により、白色の光を放射することができる。白色ＬＥＤの蛍光体としては、黄色蛍光体だけを用いる場合に限られず、赤色蛍光体と緑色蛍光体とを用いてもよい。白色ＬＥＤの蛍光体としては、黄色蛍光体と、赤色蛍光体とを用いてもよい。白色ＬＥＤは、青色ＬＥＤチップを用いる構成だけに限られず、紫外線を放射する紫外ＬＥＤチップと、赤色蛍光体、緑色蛍光体および青色蛍光体とを組み合わせて、白色の光を放射する構成としてもよい。
【００２２】
白色ＬＥＤは、適宜のＬＥＤチップ２ｊと、適宜の蛍光体とを組み合わせることで、所望の色調の白色の光を放射するように構成されている。白色の光とは、ＪＩＳ  Ｚ  ９１１２における昼光色、昼白色、白色、温白色及び電球色の光源色の区分の光を少なくとも含む。本実施形態のＬＥＤモジュール１０では、第１ＬＥＤ２ｆとして、昼光色の光を放射することが可能な白色ＬＥＤを用いている。白色ＬＥＤは、光源色の区分が昼光色に該当するように、相関色温度が６５００Ｋの光を放射できる構成としている。
【００２３】
ＬＥＤ２のうち、第２ＬＥＤ２ｓは、異なる有彩色の光を放射する２種類以上の有色ＬＥＤ２ｃを用いている。図１および図２では、第１ＬＥＤ２ｆと第２ＬＥＤ２ｓとを区別しやすいように、平面視において、第１ＬＥＤ２ｆのパッケージ２ｍの凹所を矩形状とし、第２ＬＥＤ２ｓのパッケージ２ｍの凹所を円形で例示している。第１ＬＥＤ２ｆと第２ＬＥＤ２ｓとは、異なる形状の凹所を備えた構造だけに限られず、同じ形状の凹所を備えた構造としてもよい。
【００２４】
有色ＬＥＤ２ｃは、たとえば、赤色光、緑色光、青色光、黄色光、青緑色光、黄緑色光若しくは橙色光などの有彩色の光を放射可能な構成が挙げられる。有色ＬＥＤ２ｃは、たとえば、ＬＥＤチップ２ｊに、赤色ＬＥＤチップ、緑色ＬＥＤチップ、青色ＬＥＤチップ、黄色ＬＥＤチップ、青緑色ＬＥＤチップ、黄緑色ＬＥＤチップ若しくは橙色ＬＥＤチップを用いることができる。２種類以上の有色ＬＥＤ２ｃは、複数の赤色ＬＥＤ２ｒと、複数の緑色ＬＥＤ２ｇと、複数の青色ＬＥＤ２ｂと、を含んでいることが好ましい。複数の赤色ＬＥＤ２ｒは、赤色光を放射する。複数の緑色ＬＥＤ２ｇは、緑色光を放射する。複数の青色ＬＥＤ２ｂは、青色光を放射する。ＬＥＤモジュール１０は、複数の赤色ＬＥＤ２ｒと、複数の緑色ＬＥＤ２ｇと、複数の青色ＬＥＤ２ｂと、を含んだ３原色の有色ＬＥＤ２ｃを用いることにより、白色を含む任意の色調の光を放射させることが可能となる。
【００２５】
赤色ＬＥＤ２ｒは、たとえば、ピーク発光波長が６２０ｎｍの赤色ＬＥＤチップを備えた構成とすることができる。赤色ＬＥＤチップは、たとえば、発光層にＡｌＩｎＧａＰを用いた構成が挙げられる。緑色ＬＥＤ２ｇは、たとえば、ピーク発光波長が５４０ｎｍの緑色ＬＥＤチップを備えた構成とすることができる。緑色ＬＥＤチップは、たとえば、発光層にＩｎＧａＮを用いた構成が挙げられる。青色ＬＥＤ２ｂは、たとえば、ピーク発光波長が４６０ｎｍの青色ＬＥＤチップを備えた構成とすることができる。青色ＬＥＤチップは、たとえば、発光層に、緑色ＬＥＤチップの発光層よりもＩｎの含有量が少ないＩｎＧａＮを用いた構成とすることができる。
【００２６】
配線基板３は、長尺の板状に形成されている。配線基板３には、厚み方向に貫通する複数の孔部３ｈを備えている。配線基板３の第１面３ａａには、ＬＥＤ２と各種の電子部品３ｊとが配置されている。電子部品３ｊは、たとえば、固定抵抗器、コンデンサ、ＩＣやジャンパー素子などが挙げられる。配線基板３の第１面３ａａには、複数のＬＥＤ２が、配線基板３の長手方向に沿って、一列のライン状に並べて配置されている。配線基板３の第１面３ａａとは反対の第２面３ｂａには、接続端子部３ｔが設けられている。配線基板３の第２面３ｂａについては、図５を参照。配線基板３は、第１面３ａａに所定の形状の配線を備えている。ＬＥＤ２や電子部品３ｊは、半田からなる接合部により、配線基板３の配線と電気的に接続されている。接続端子部３ｔは、半田からなる接合部により、配線基板３の第２面３ｂａから第１面３ａａに挿通させたリードピンが配線と電気的に接続されている。配線基板３は、配線を用いて、接続端子部３ｔと、電子部品３ｊと、ＬＥＤ２とを電気的に接続している。配線基板３では、たとえば、第１ＬＥＤ２ｆと、第２ＬＥＤ２ｓと、電子部品３ｊとが、それぞれ第１面３ａａの配線上にクリーム半田を介して配置された上で、リフロー処理されて、半田付けが行われる。接続端子部３ｔは、複数のＬＥＤ２のうち、異なる色の光を放射するＬＥＤ２ごとに個別に給電できるように、配線と電気的に接続されている。
【００２７】
配線基板３は、たとえば、ガラスエポキシ基板を用いて形成することができる。配線基板３は、ガラスエポキシ基板だけに限らず、たとえば、金属ベースプリント配線板、セラミック基板などを用いて形成してもよい。配線は、たとえば、銅や銅合金を用いることができる。配線基板３の第１面３ａａには、長手方向に沿って、４５個のＬＥＤ２が配置されている。配線基板３は、１８個の白色ＬＥＤと、９個の赤色ＬＥＤ２ｒと、９個の緑色ＬＥＤ２ｇと、９個の青色ＬＥＤ２ｂとが配置されている。配線基板３の第１面３ａａでは、２個の白色ＬＥＤと、２個の白色ＬＥＤで挟まれた、１個の赤色ＬＥＤ２ｒと１個の緑色ＬＥＤ２ｇと１個の青色ＬＥＤ２ｂとで形成されたグループ１０Ｇが９個形成されている。配線基板３は、ＬＥＤ２および各種の電子部品３ｊの搭載部位以外の第１面３ａａが、白色のレジスト層などで覆われていてもよい。配線基板３は、白色のレジスト層で、反射層を形成することができる。反射層は、ＬＥＤ２から放射された光が配線基板３に吸収されることを抑制することができる。配線基板３は、平面視において、たとえば、２８２．０ｍｍ×３０．０ｍｍの長尺状に形成することができる。
【００２８】
ＬＥＤモジュール１０は、図３に示すように、複数の第１ＬＥＤ２ｆを電気的に直列に接続させた第１回路３ｆを有している。第１回路３ｆは、直列接続された複数の第１ＬＥＤ２ｆの一端と、共通電極３ｅとを電気的に接続させている。第１回路３ｆは、直列接続された複数の第１ＬＥＤ２ｆの一端と反対の他端を、第１個別電極３ｋと電気的に接続させている。第１回路３ｆは、たとえば、１８個の白色ＬＥＤを備えた構成とすることができる。ＬＥＤモジュール１０は、第１回路３ｆに流れる電流を制御することで、白色ＬＥＤから放射される白色の光の出力を調整することができる。第１回路３ｆは、複数の白色ＬＥＤを電気的に直列に接続させた構成だけに限られない。第１回路３ｆは、複数の白色ＬＥＤを電気的に並列に接続させてもよいし、複数の白色ＬＥＤを電気的に直並列に接続させてもよい。
【００２９】
ＬＥＤモジュール１０は、複数の赤色ＬＥＤ２ｒを電気的に接続させた第２回路３ｒを有している。第２回路３ｒは、直列接続された複数の赤色ＬＥＤ２ｒの一端と、共通電極３ｅとを電気的に接続させている。第２回路３ｒは、直列接続された複数の赤色ＬＥＤ２ｒの一端と反対の他端を、第２個別電極３ｍと電気的に接続させている。第２回路３ｒは、たとえば、９個の赤色ＬＥＤ２ｒを備えた構成とすることができる。ＬＥＤモジュール１０は、第２回路３ｒに流れる電流を制御することで、赤色ＬＥＤ２ｒから放射される赤色の光の出力を調整することができる。第２回路３ｒは、複数の赤色ＬＥＤ２ｒを電気的に直列に接続させた構成だけに限られない。第２回路３ｒは、複数の赤色ＬＥＤ２ｒを電気的に並列に接続させてもよいし、複数の赤色ＬＥＤ２ｒを電気的に直並列に接続させてもよい。
【００３０】
ＬＥＤモジュール１０は、複数の緑色ＬＥＤ２ｇを電気的に接続させた第３回路３ｇを有している。第３回路３ｇは、直列接続された複数の緑色ＬＥＤ２ｇの一端と、共通電極３ｅとを電気的に接続させている。第３回路３ｇは、直列接続された複数の緑色ＬＥＤ２ｇの一端と反対の他端を、第３個別電極３ｎと電気的に接続させている。第３回路３ｇは、たとえば、９個の緑色ＬＥＤ２ｇを備えた構成とすることができる。ＬＥＤモジュール１０は、第３回路３ｇに流れる電流を制御することで、緑色ＬＥＤ２ｇから放射される緑色の光の出力を調整することができる。第３回路３ｇは、複数の緑色ＬＥＤ２ｇを電気的に直列に接続させた構成だけに限られない。第３回路３ｇは、複数の緑色ＬＥＤ２ｇを電気的に並列に接続させてもよいし、複数の緑色ＬＥＤ２ｇを電気的に直並列に接続させてもよい。
【００３１】
ＬＥＤモジュール１０は、複数の青色ＬＥＤ２ｂを電気的に接続させた第４回路３ｂを有している。第４回路３ｂは、直列接続された複数の青色ＬＥＤ２ｂの一端と、共通電極３ｅとを電気的に接続させている。第４回路３ｂは、直列接続された複数の青色ＬＥＤ２ｂの一端と反対の他端を、第４個別電極３ｐと電気的に接続させている。第４回路３ｂは、たとえば、９個の青色ＬＥＤ２ｂを備えた構成とすることができる。ＬＥＤモジュール１０は、第４回路３ｂに流れる電流を制御することで、青色ＬＥＤ２ｂから放射される青色の光の出力を調整することができる。第４回路３ｂは、複数の青色ＬＥＤ２ｂを電気的に直列に接続させた構成だけに限られない。第４回路３ｂは、複数の青色ＬＥＤ２ｂを電気的に並列に接続させてもよいし、複数の青色ＬＥＤ２ｂを電気的に直並列に接続させてもよい。
【００３２】
ＬＥＤモジュール１０では、異なる有彩色の光を放射する２種類以上の有色ＬＥＤ２ｃの光出力を個別に制御して、２種類以上の有色ＬＥＤ２ｃから放射された光を混色させることで、任意の色調の光を再現することが可能となる。２種類以上の有色ＬＥＤ２ｃは、異なる有彩色の光が補色関係にあれば白色の光を再現することができる。ＬＥＤモジュール１０は、第２回路３ｒ、第３回路３ｇ、第４回路３ｂそれぞれに流れる電流が各別に制御されることで、白色を含む任意の色調の光を放射させることができる。ＬＥＤモジュール１０は、有彩色の光の混色により白色の光を放射できればよく、任意の色調の光を放射させる構成だけには限られない。ＬＥＤモジュール１０は、赤色ＬＥＤ２ｒと緑色ＬＥＤ２ｇと青色ＬＥＤ２ｂの有色ＬＥＤ２ｃに加えて、単体で白色の光のみを放射する白色ＬＥＤを備えることで、白色の光の光出力を向上させることができる。ＬＥＤモジュール１０は、第１回路３ｆだけに電流を流す場合、白色ＬＥＤだけで白色の光を放射させることができる。
【００３３】
ところで、ＬＥＤチップ２ｊは、半導体の成膜技術により形成されている。ＬＥＤチップ２ｊは、同じ半導体ウエハから形成されたＬＥＤチップ２ｊであっても、発光層における組成比の違いなどにより、ＬＥＤチップ２ｊごとに駆動電圧、放射される光のピーク発光波長などに違いが生ずる場合がある。ＬＥＤ２は、ＬＥＤチップ２ｊの駆動電圧が異なれば、放射される光の光出力が異なる場合がある。ＬＥＤ２は、ＬＥＤチップ２ｊから放射される光のピーク発光波長が異なれば、光の色調が異なる場合がある。
【００３４】
ＬＥＤは、一般に、ＬＥＤの光出力の範囲と色調の範囲とを、複数のランクごとに弁別されている。ＬＥＤモジュールは、ＬＥＤの光出力にばらつきがあれば、固定抵抗などと電気的に接続させることで、光出力を調整することができる。ＬＥＤモジュールは、ＬＥＤの光出力を調整しても、ピーク発光波長にばらつきがあれば、色調ばらつきが生ずる。ＬＥＤモジュールでは、複数のランクごとに弁別されたＬＥＤを用いる場合でも、各ランク内において色調ばらつきがあれば、赤色ＬＥＤ、緑色ＬＥＤ、青色ＬＥＤからの光を混色させた白色の光に色むらが生ずる場合がある。ＬＥＤモジュールは、赤色ＬＥＤと緑色ＬＥＤと青色ＬＥＤからの光の混色光により白色の光を放射させる場合、白色ＬＥＤから放射される白色の光と比較して、同じ白色の光でも色味のばらつきが大きくなる傾向にある。ＬＥＤモジュールは、複数の赤色ＬＥＤと複数の緑色ＬＥＤと複数の青色ＬＥＤからの光の混色光により白色の光を放射させる場合、複数の白色ＬＥＤだけを用いる場合と比較して、色むらが発生し易い傾向にある。
【００３５】
ＣＩＥ色空間上の色味の違いは、マックアダム楕円で表現することができる。マックアダム楕円は、ある色を楕円の中心の色として、人がその色と区別することができない色の範囲を色度図に表している。図４には、ＣＩＥ  １９７６  ＵＣＳ色度図に３つの楕円をマックアダム楕円として例示している。図４では、赤色の領域のマックアダム楕円を第１楕円４ｒとし、緑色の領域のマックアダム楕円を第２楕円４ｇとし、青色の領域のマックアダム楕円を第３楕円４ｂとして図示している。マックアダム楕円は、ＵＣＳ色度図における色分布が赤の領域、緑の領域若しくは青の領域などの色域で不均一となっている。マックアダム楕円からは、たとえば、緑色の色味の違いと比較して、赤色の色味の違い若しくは青色の色味の違いを人が敏感に認識でき、色むらを認識しやすいことがわかる。マックアダム楕円では、一般に、１ＳＤＣＭ(standard deviation of color matching)の範囲において、色味の違いを人が認識することができず、黒体放射軌跡に沿った場合では２ＳＤＣＭの範囲において色味の違いを人が認識することができない、とされている。図４に示すマックアダム楕円は、第１楕円４ｒと第２楕円４ｇと第３楕円４ｂそれぞれが、２ＳＤＣＭとしている。
【００３６】
図４では、複数のＬＥＤが所定の色調の範囲に収まるように弁別するための、１つの色調ランクを矩形状に囲んだ破線で例示している。赤色ＬＥＤの１つの色調ランクは、第１ランク４ｒａとして例示している。緑色ＬＥＤの１つの色調ランクは、第２ランク４ｇａおよび第４ランク４ｇｂとして例示している。第２ランク４ｇａと第４ランク４ｇｂとは、複数の緑ＬＥＤが弁別される色調の範囲が異なっている。青色ＬＥＤの色調ランクは、第３ランク４ｂａとして例示している。図４の中央における太線のカーブは、黒体放射軌跡を示している。黒体放射軌跡の近傍に図示された矩形４ｗは、第１ランク４ｒａの赤色ＬＥＤと、第２ランク４ｇａの緑色ＬＥＤまたは第４ランク４ｇｂの緑色ＬＥＤと、第３ランク４ｂａの青色ＬＥＤそれぞれの光を混色させた白色の光の色度範囲を示している。白色の光の色度範囲は、各ＬＥＤそれぞれの光出力を一定としている。
【００３７】
ＬＥＤモジュールでは、赤色ＬＥＤと青色ＬＥＤから放射される光がそれぞれ２ＳＤＣＭ相当でなければ、白色の光を得るために混色させても、２ＳＤＣＭの白色の光を得ることができない。赤色ＬＥＤは、２ＳＤＣＭを満たす白色の光を得るために、赤色ＬＥＤの色調ランクの範囲を、第１ランク４ｒａの約１／３以下の範囲内にする必要がある。緑色ＬＥＤは、２ＳＤＣＭを満たす白色の光を得るために、緑色ＬＥＤの色調ランクの範囲を、第２ランク４ｇａ若しくは第４ランク４ｇｂの何れか一方の単ランク以下の範囲内にする必要がある。青色ＬＥＤは、２ＳＤＣＭを満たす白色の光を得るために、青色ＬＥＤの色調ランクの範囲を、第３ランク４ｂａの約１／４以下の範囲内とする必要がある。ＬＥＤモジュールでは、ＬＥＤの色調ランクをより細分化させることで、色むらを抑制できるものの、製造歩留りが低下する傾向にある。言い換えれば、ＬＥＤモジュールは、より広い色調の範囲にあるＬＥＤを用いることができれば、製造歩留りを向上させることが可能となる。
【００３８】
本実施形態のＬＥＤモジュール１０は、有色ＬＥＤ２ｃの色むらを少なくできる白色ＬＥＤで、２種類以上の有色ＬＥＤ２ｃを挟んだグループ１０Ｇを形成していることにより、グループ１０Ｇ同士の色むらを少なくすることが可能となる。ＬＥＤモジュール１０は、グループ１０Ｇ内の白色ＬＥＤと有色ＬＥＤ２ｃとの第１距離２Ｎをグループ１０Ｇ間の白色ＬＥＤ同士の第２距離２Ｌよりも短くすることで、グループ１０Ｇ同士の色むらを、より少なくすることが容易となる。ＬＥＤモジュール１０は、グループ１０Ｇ内の有色ＬＥＤ２ｃ同士の第３距離２Ｔを、グループ１０Ｇ内の白色ＬＥＤと有色ＬＥＤ２ｃとの第１距離２Ｎも近く配置していることが好ましい。図１では、有色ＬＥＤ２ｃの中心と隣接する有色ＬＥＤ２ｃの中心との間の距離で第３距離２Ｔを例示している。ＬＥＤモジュール１０は、第３距離２Ｔが第１距離２Ｎよりも短いことで、隣接して配置される２種類以上の有色ＬＥＤ２ｃから放射された異なる有彩色の光同士の混色性を向上させることができる。
【００３９】
ＬＥＤモジュール１０は、隣接するＬＥＤ２同士の間隔が大きい場合、光の明るいところと暗いところが顕在化するため、暗いところが顕在化しない程度に必要な数のＬＥＤ２が配置させていることが好ましい。ＬＥＤモジュール１０は、必要な光束が大きい場合、ＬＥＤ２の数を多くして、ＬＥＤ２の間隔を狭くして配置させることが好ましい。ＬＥＤモジュール１０は、隣接して配置される有色ＬＥＤ２ｃから放射された異なる有彩色の光の混色により白色の光を放射させる場合、ＬＥＤ２同士の絶縁距離が確保できる程度に各ＬＥＤ２を近づけた配置とすることが好ましい。ＬＥＤモジュール１０は、長尺状の配線基板３における長手方向に沿って、複数のＬＥＤ２を一列に配置している。ＬＥＤモジュール１０は、一列に配置させた複数のＬＥＤ２を点灯させることにより、線状光源として利用することができる。ＬＥＤモジュール１０は、配線基板３の長手方向において、異なる有彩色の光を放射する有色ＬＥＤ２ｃが一列に並ぶように配置することで、色調の異なる光を発光可能な線状光源を構成することができる。ＬＥＤモジュール１０は、配線基板３の短手方向に沿って、複数のＬＥＤ２の各々のアノード電極とカソード電極とを配置させることで、配線基板３の長手方向に沿って配置させる場合と比較して、複数のＬＥＤ２を近づけて配置させることが可能となる。ＬＥＤモジュール１０は、複数のＬＥＤ２をより近づけて配置させ、ＬＥＤ２の数をより増やすことで光出力の向上を図ることが可能となる。ＬＥＤモジュール１０は、異なる有彩色の光を放射する２種類以上の有色ＬＥＤ２ｃをより近づけて配置させることで、混色性の向上を図ることが可能となる。
【００４０】
ＬＥＤモジュール１０は、ライン状に一列に配置された複数のＬＥＤ２の構成だけには限られない。ＬＥＤモジュール１０は、ライン状に配置された複数のＬＥＤ２の一列を、配線基板３の短手方向に沿って、複数の列で配置させることで、より光出力を向上させることもできる。
【００４１】
（実施形態２）
図５に示す本実施形態の照明器具３０は、実施形態１のＬＥＤモジュール１０を備えた構成としている。なお、実施形態１と同様の構成要素には、同一の符号を付して適宜に説明を省略する。
【００４２】
本実施形態の照明器具３０は、実施形態１のＬＥＤモジュール１０と、ＬＥＤモジュール１０が取り付けられる器具本体３１と、を備えている。
【００４３】
本実施形態の照明器具３０は、より色むらの少ないＬＥＤモジュール１０を備えた構成とすることができる。
【００４４】
以下では、図５ないし図８を参照して、照明器具３０を説明する。本実施形態の照明器具３０は、照明器具３０の一例として投光器を構成している。投光器は、たとえば、建物の一部や表示板などに光を照射することができる。投光器は、光源として、ＬＥＤ光源を用いている。ＬＥＤ光源は、複数のＬＥＤモジュール１０を用いて構成している。
【００４５】
投光器は、ＬＥＤモジュール１０に加え、反射部材３７を備えている。反射部材３７は、ＬＥＤモジュール１０からの光を反射する。反射部材３７は、断面視において、パラボラ曲線となる反射面３７ａａを有している。ＬＥＤモジュール１０と反射部材３７とは、ＬＥＤモジュール１０の光軸方向３０ａｘと、ＬＥＤモジュール１０の光軸方向３０ａｘに沿った光が反射面３７ａａで反射されて投光される投光方向３０ａｙとが直交するように配置されている。反射面３７ａａは、第１反射面３７ａｒと、第２反射面３７ｂｒとを有している。第１反射面３７ａｒは、ＬＥＤモジュール１０からの光を反射する。第２反射面３７ｂｒは、ＬＥＤモジュール１０からの光を第１反射面３７ａｒよりも拡散させて反射する。第１反射面３７ａｒには、ＬＥＤモジュール１０の光軸方向３０ａｘに沿った光がパラボラ曲線の焦点３０ａｚを通って照射される。第２反射面３７ｂｒは、光軸方向３０ａｘに沿った方向において、第１反射面３７ａｒよりも、ＬＥＤモジュール１０の近くに形成されている。
【００４６】
投光器は、器具本体３１に加え、さらに、透光性の保護パネル３８を備えている。器具本体３１は、ＬＥＤモジュール１０と、反射部材３７とが内部に設けられている。器具本体３１は、反射面３７ａａで反射されたＬＥＤモジュール１０からの光を開口部３０ａａから外部に投光する。保護パネル３８は、開口部３０ａａを覆うように器具本体３１に設けられる。保護パネル３８は、ＬＥＤモジュール１０から離れるにつれ、保護パネル３８の表面３８ａａの垂線３８ａｙが投光方向３０ａｙから離れる向きに配置されている。保護パネル３８は、保護パネル３８の表面３８ａａの垂線３８ａｙと投光方向３０ａｙとのなす角が鋭角となるように構成されていることが好ましい。
【００４７】
器具本体３１は、ＬＥＤモジュール１０の光軸方向３０ａｘの前方に遮光板３３ｂを備えている。遮光板３３ｂは、ＬＥＤモジュール１０からの光が反射面３７ａａで反射されないで開口部３０ａａから外部に放射されないように、ＬＥＤモジュール１０を覆っていることが好ましい。
【００４８】
以下では、投光器の各構成について具体的に詳述する。投光器は、図５ないし図７に示すように、ＬＥＤモジュール１０を器具本体３１の内部に収納している。器具本体３１は、本体部３２と、蓋部３３と、エンドパネル３４と、を備えている。器具本体３１には、取付部材３５と、拡散パネル３６と、反射板３７ａと、保護パネル３８とが設けられている。器具本体３１は、本体部３２と蓋部３３とが対向して配置される。器具本体３１は、本体部３２と、蓋部３３と、取付部材３５とで、角筒状の外形形状に形成されている。器具本体３１は、角筒状の長手方向に沿って、開口部３０ａａが形成されている。開口部３０ａａは、断面視において、本体部３２の一端部と蓋部３３の一端部との間に形成されている。器具本体３１は、角筒状の両端部をそれぞれ塞ぐように、エンドパネル３４が設けられている。
【００４９】
本体部３２は、側面視において、Ｌ字状に形成されている。本体部３２は、支持板３２ａと、突出板３２ｂと、フランジ部３２ｃと、を備えている。支持板３２ａは、長尺の板状に形成されている。支持板３２ａは、器具本体３１の内部に向かって突出する突出部３７ｂを備えている。突出部３７ｂは、滑らかな表面を備えている。突出部３７ｂは、支持板３２ａの長手方向に沿って設けられている。支持板３２ａは、中央部に開口３２ａａを備えている。開口３２ａａは、器具本体３１の外側に向かって開口している。支持板３２ａは、開口３２ａａに対応して、第１固定部３９ａが形成されている。第１固定部３９ａは、凹所を備えている。支持板３２ａは、第１固定部３９ａよりもフランジ部３２ｃ側に、嵌溝３２ａｋを備えている。嵌溝３２ａｋは、器具本体３１の内部に向かって開口する溝を構成している。嵌溝３２ａｋは、支持板３２ａの長手方向に沿って設けられている。支持板３２ａは、第１固定部３９ａよりも突出板３２ｂ側に、嵌込溝３２ａｈを備えている。嵌込溝３２ａｈは、器具本体３１の内部に開口する溝を構成している。嵌込溝３２ａｈは、支持板３２ａの長手方向に沿って設けられている。支持板３２ａは、嵌溝３２ａｋよりもフランジ部３２ｃ側に、挿通孔３２ａｊを備えている。挿通孔３２ａｊは、支持板３２ａの厚み方向に貫通している。挿通孔３２ａｊは、開口径が器具本体３１の外部に向かって拡がるテーパ形状に形成されている。
【００５０】
突出板３２ｂは、長尺の板状に形成されている。突出板３２ｂは、支持板３２ａの長手方向に沿って、支持板３２ａの短手方向の一端に設けられている。突出板３２ｂは、支持板３２ａに対し鈍角となる方向に突出している。突出板３２ｂは、先端に差込溝３２ｂａを備えている。差込溝３２ｂａは、器具本体３１の内部に向かって開口する溝を構成している。差込溝３２ｂａは、突出板３２ｂの長手方向に沿って設けられている。突出板３２ｂは、中央部に第２固定部３９ｂを備えている。第２固定部３９ｂは、器具本体３１の内部に向かって、突出している。第２固定部３９ｂは、断面視において、Ｃ字状の外形形状をしている。フランジ部３２ｃは、長尺の支持板３２ａの長手方向に沿って、支持板３２ａの短手方向の一端と反対の他端に設けられている。
【００５１】
フランジ部３２ｃは、図６に示すように、貫通孔３２ｃａが設けられている。フランジ部３２ｃは、貫通孔３２ｃａに螺子が挿通できるように構成されている。投光器は、フランジ部３２ｃの貫通孔３２ｃａに挿通する螺子により所定の台座に固定させることができる。本体部３２は、支持板３２ａと、突出板３２ｂと、フランジ部３２ｃとが一体的に形成されている。本体部３２の材料としては、アルミニウムを用いることができる。本体部３２は、アルミニウムの押し出し成形により形成されている。本体部３２は、陽極酸化処理により、酸化物の被膜が形成されている。本体部３２の材料は、アルミニウムだけに限られず、合成樹脂材料などを用いることもできる。本体部３２は、たとえば、艶消し黒色の塗料を用いて着色されている。
【００５２】
蓋部３３は、長尺の板状の外形形状に形成されている。蓋部３３は、長尺の平板３３ａを備えている。平板３３ａは、長手方向の長さが本体部３２の長手方向の長さと略同じ大きさとしている。蓋部３３は、平板３３ａの短手方向の中央部に第３固定部３９ｃを備えている。第３固定部３９ｃは、器具本体３１の内部に向かって、突出している。第３固定部３９ｃは、Ｃ字状の外形形状としている。蓋部３３は、平板３３ａの長手方向に沿って、平板３３ａの短手方向の一端に、切欠溝３３ａａが設けられている。切欠溝３３ａａは、平板３３ａの長手方向に沿って設けられている。蓋部３３は、器具本体３１の内部に突出する遮光板３３ｂを備えている。遮光板３３ｂは、切欠溝３３ａａの深さ方向と直交する方向に沿って設けられている。遮光板３３ｂは、第４固定部３９ｄを備えている。第４固定部３９ｄは、器具本体３１の内部に向かって開口する凹所で形成されている。蓋部３３は、遮光板３３ｂよりも第４固定部３９ｄ側に嵌合溝３３ａｋを備えている。嵌合溝３３ａｋは、平板３３ａの長手方向に沿って設けられている。蓋部３３は、アルミニウムの押し出し成形により形成することができる。蓋部３３の材料は、アルミニウムだけに限られず、合成樹脂材料などを用いることもできる。
【００５３】
エンドパネル３４は、平板状の外形形状に形成される。エンドパネル３４は、厚み方向に貫通する貫通孔が設けられている。エンドパネル３４は、貫通孔に挿通された取付螺子３４ａにより、角筒状の器具本体３１における長手方向の端を塞ぐように取り付けられる。エンドパネル３４は、２つの取付螺子３４ａが本体部３２に取り付けられる。２つの取付螺子３４ａは、本体部３２の第１固定部３９ａと第２固定部３９ｂとに各別に固定される。エンドパネル３４は、２つの取付螺子３４ａが蓋部３３に取り付けられる。２つの取付螺子３４ａは、蓋部３３の第３固定部３９ｃと第４固定部３９ｄとに各別に固定される。エンドパネル３４は、たとえば、ステンレス若しくは合成樹脂材料などを用いて形成することができる。
【００５４】
取付部材３５は、本体部３２の長手方向に沿って長尺状の外形形状をしている。取付部材３５は、断面視において、Ｃ字状に形成されている。取付部材３５は、取付板３５ａと、固定板３５ｂと、覆板３５ｃと、を備えている。取付板３５ａは、平面視において、矩形板状に形成されている。固定板３５ｂは、長尺の平板状の外形形状をしている。覆板３５ｃは、長尺の平板状の外形形状をしている。取付板３５ａは、固定板３５ｂの長手方向に沿って、固定板３５ｂの短手方向の一端に設けられている。覆板３５ｃは、固定板３５ｂの長手方向に沿って、固定板３５ｂの短手方向の一端部と反対の他端部に設けられている。覆板３５ｃは、固定板３５ｂと直交する方向に突出している。取付板３５ａと覆板３５ｃとは、固定板３５ｂに対して同じ方向に突出している。取付板３５ａと覆板３５ｃとは、固定板３５ｂから遠ざかるについて、互いに離れる向きに配置されている。固定板３５ｂは、厚み方向に貫通する取付孔３５ｂａが設けられている。取付部材３５は、取付板３５ａと、固定板３５ｂと、覆板３５ｃとが一体に形成されている。取付部材３５は、たとえば、金属板の折り曲げ加工によって形成することができる。取付部材３５は、たとえば、アルミニウムの板材を用いて形成することができる。取付部材３５の材料は、アルミニウムだけに限られず、銅やステンレスなどの金属材料により形成してもよい。
【００５５】
取付部材３５は、バーリング加工した固定板３５ｂの取付孔３５ｂａにボルト３９ｆをねじ止めさせることで、本体部３２に固定される。取付部材３５は、取付孔３５ｂａを挿通するボルト３９ｆとナットにより、固定板３５ｂが本体部３２に固定される構成でもよい。取付部材３５は、固定螺子３９ｅにより、ＬＥＤモジュール１０の配線基板３が取付板３５ａに取り付けられるように構成されている。取付板３５ａには、配線基板３の第２面３ｂａに設けられた接続端子部３ｔを挿通する孔が設けられている。固定螺子３９ｅは、図２に示す配線基板３の孔部３ｈに挿入される。取付部材３５には、図６に示すように、たとえば、３つのＬＥＤモジュール１０が本体部３２の長手方向に沿って、一列に並んで配置されている。取付部材３５は、隣接するＬＥＤモジュール１０の間隔が何れも等しくなるように一列に並べた状態で、ＬＥＤモジュール１０を本体部３２に固定している。取付部材３５は、金属材料より形成させることで、ＬＥＤモジュール１０の放熱板として利用することができる。投光器は、取付部材３５の材料を合成樹脂材料に比べて熱伝導性の高い金属材料により形成している場合、取付部材３５を介して、ＬＥＤモジュール１０の熱を効率よく外部に放熱させることが可能となる。
【００５６】
拡散パネル３６は、ＬＥＤモジュール１０を覆うことができるように構成されている。拡散パネル３６は、短手方向における両端部が、本体部３２の嵌溝３２ａｋと、蓋部３３の嵌合溝３３ａｋとに各別に嵌め合わせられるように構成されている。拡散パネル３６は、長尺状の平板状に形成されている。拡散パネル３６は、透光性を有している。拡散パネル３６は、ＬＥＤ２から放射された光を効率よく透過できる構成が好ましい。拡散パネル３６は、たとえば、アクリル樹脂、ポリカーボネート樹脂やガラスなどの透光性材料により形成することができる。拡散パネル３６は、ＬＥＤモジュール１０から放射された光の直進性を弱める光拡散性を備えている。拡散パネル３６は、長尺状のＬＥＤモジュール１０の長手方向において、一列に並ぶように配置された複数のＬＥＤ２からの光を、ＬＥＤ２それぞれが点状に発光する点光源から線状に発光する線状光源に見えるようにさせることができる。拡散パネル３６は、光拡散性を得るために、平板状の拡散パネル３６の何れか少なくとも一方の表面に凹凸を形成させることができる。拡散パネル３６は、拡散パネル３６の内部に光拡散材を含有させてもよい。光拡散材は、拡散パネル３６の材料と屈折率の異なる材料を用いればよい。拡散パネル３６は、反射面３７ａａにおけるパラボラ曲線の焦点３０ａｚの位置に配置されていることが好ましい。遮光板３３ｂは、ＬＥＤモジュール１０の光軸方向３０ａｘの前方であって、ＬＥＤモジュール１０からの光が反射面３７ａａで反射されないで開口部３０ａａから外部に放射されないように、ＬＥＤモジュール１０を覆っている。
【００５７】
反射部材３７は、反射板３７ａと、突出部３７ｂとで構成されている。反射板３７ａは、ベース部３７ａ１と、差込部３７ａ２と、嵌込部３７ａ３と、を備えている。ベース部３７ａ１は、本体部３２の長手方向に沿った長尺状に形成されている。ベース部３７ａ１は、断面視において、パラボラ曲線となる反射面３７ａａの一部を構成している。ベース部３７ａ１は、鏡面反射ができるように形成されている。ベース部３７ａ１は、スパッタリング法、蒸着法を用いて、表面に金属膜を形成することで、鏡面反射性を有するように形成することができる。
【００５８】
差込部３７ａ２は、ベース部３７ａ１の短手方向の一端に設けられている。差込部３７ａ２は、ベース部３７ａ１の長手方向に沿って長尺状に形成されている。差込部３７ａ２は、断面視において、Ｌ字状の外形形状をしている。嵌込部３７ａ３は、ベース部３７ａ１の短手方向の一端と反対の他端に設けられている。嵌込部３７ａ３は、ベース部３７ａ１の長手方向に沿って長尺状に形成されている。嵌込部３７ａ３は、断面視において、Ｖ字状の外形形状をしている。反射板３７ａは、金属板の折り曲げ加工により形成することができる。反射板３７ａの材料としては、たとえば、鉄若しくはステンレスなどの金属材料を用いることができる。反射板３７ａの材料としては、金属材料だけに限られず、合成樹脂材料を用いて形成してもよい。反射板３７ａは、鏡面仕上げしたアルミ箔付き鋼板を用いることができる。
【００５９】
反射板３７ａは、本体部３２に固定される。反射板３７ａは、突出板３２ｂの差込溝３２ｂａに、差込部３７ａ２が差し込まれることができるように構成されている。反射板３７ａは、支持板３２ａの嵌込溝３２ａｈに嵌込部３７ａ３が嵌め込まれる。反射板３７ａは、図５に示すように、差込溝３２ｂａに差込部３７ａ２が差し込まれ、嵌込部３７ａ３が嵌込溝３２ａｈに嵌め込まれることで、本体部３２に取り付けられる。反射板３７ａは、本体部３２に取り付けられることで、反射板３７ａの表面と、突出部３７ｂの表面とが連続する反射面３７ａａを形成する反射部材３７を構成している。反射面３７ａａは、断面視において、放物線の対称軸を中心とした片側の曲線を構成している。反射面３７ａａは、対称軸上に焦点３０ａｚが来るように構成されている。
【００６０】
投光器は、反射板３７ａの表面を第１反射面３７ａｒとし、突出部３７ｂの表面を第２反射面３７ｂｒに利用している。第１反射面３７ａｒは、鏡面反射ができるように構成されている。第２反射面３７ｂｒは、突出部３７ｂの表面に白色の艶消し塗料を塗布している。第２反射面３７ｂｒは、白色の艶消し塗料を突出部３７ｂに塗布することで、第１反射面３７ａｒよりも光を拡散させて反射させることができる。第２反射面３７ｂｒは、突出部３７ｂの表面に白色の艶消し塗料を塗布する構成だけに限られず、第２反射面３７ｂｒに凹凸加工を施すことにより形成してもよい。
【００６１】
反射部材３７は、ＬＥＤモジュール１０からの光を、所望の被照射面に効率よく投光させることが可能となる。投光器は、第１反射面３７ａｒによりＬＥＤモジュール１０からの光を効率よく、所定の投光方向３０ａｙに投光させることが可能となる。投光器は、第１反射面３７ａｒよりも光を拡散させる第２反射面３７ｂｒをＬＥＤモジュール１０の近くとすることで、光出射効率の低下を抑制しつつ、ＬＥＤモジュール１０からの光が保護パネル３８に映り込むことで生ずる輝度むらを抑制することが可能となる。投光器は、第１反射面３７ａｒよりも第２反射面３７ｂｒをＬＥＤモジュール１０の近くにすることで、外部から投光方向３０ａｙと異なる角度で人が開口部３０ａａを視認した場合、複数のＬＥＤ２が点状に発光して見える粒状感を弱めさせることができる。投光器は、第１反射面３７ａｒよりも第２反射面３７ｂｒをＬＥＤモジュール１０の近くに設けることで、ＬＥＤ２から放射される光出力の低下を抑制しつつ、複数のＬＥＤ２を線状光源として利用することが可能となる。
【００６２】
保護パネル３８は、本体部３２の差込溝３２ｂａと、蓋部３３の切欠溝３３ａａとで、保護パネル３８の両端部が保持されるように構成されている。保護パネル３８は、短手方向の一端が反射板３７ａの差込部３７ａ２を介して、差込溝３２ｂａに差し込まれる。保護パネル３８は、器具本体３１の長手方向に沿った開口部３０ａａを塞ぐことができるように構成されている。保護パネル３８は、器具本体３１の開口部３０ａａを塞いでいる。保護パネル３８は、開口部３０ａａを塞ぐことで、器具本体３１の内部に塵芥が進入することを抑制する防塵機能を持たすことができる。保護パネル３８は、開口部３０ａａを塞ぐことで、器具本体３１の内部に水が浸入することを防ぐ防水機能を持たすこともできる。保護パネル３８は、長尺の平板状に構成されている。保護パネル３８は、器具本体３１の開口部３０ａａを塞いで器具本体３１の内部を保護することができる。保護パネル３８は、透光性を有している。保護パネル３８は、ＬＥＤモジュール１０から放射された光を効率よく透過できる構成が好ましい。保護パネル３８は、たとえば、アクリル樹脂、ポリカーボネート樹脂若しくはガラスなどの透光性材料により形成することができる。保護パネル３８は、ＬＥＤモジュール１０からの光を集光させるため、レンズ機能を備えた構成としてもよい。保護パネル３８は、ＬＥＤモジュール１０から放射された光が反射部材３７で反射されて器具本体３１の外部に投光される。
【００６３】
投光器には、ＬＥＤモジュール１０の接続端子部３ｔと電気的に接続させたコネクタ３０ａが取り付けられている。コネクタ３０ａは、器具本体３１の長手方向の端部から導出できるように設けられている。コネクタ３０ａは、複数の投光器に順送りに電力を供給する送り配線に利用することができる。投光器は、送り配線を行う場合、送り端子を用いて投光器から投光器へと電線の接続を行うことができるように構成されていればよい。
【００６４】
投光器は、電源ユニット４０と電気的に接続することができるように構成されている。投光器は、電源ユニット４０の電源コード４０ｂの先端に設けられるプラグコネクタ４０ａがコネクタ３０ａに差込接続されるように構成されている。電源ユニット４０は、図１０で示すように、コントローラ４１と、複数の投光器と、外部電源５０とが電気的に接続されている。コントローラ４１は、投光器の色調や光出力を調整することができるように、電源ユニット４０から投光器に供給する電力を調整する。コントローラ４１は、ＬＥＤモジュール１０のＬＥＤ２に流れる電流を調整することにより、調光や調色を行うことが可能となる。外部電源５０は、たとえば、商用交流電源などを利用することができる。
【００６５】
電源ユニット４０は、外部電源５０と電気的に接続される。電源ユニット４０は、投光器に電力を給電する電源回路部を有している。電源回路部は、たとえば、フィルタ回路、昇圧回路、降圧回路、制御回路などが挙げられる。電源ユニット４０は、投光器における第１回路３ｆと、第２回路３ｒと、第３回路３ｇと、第４回路３ｂとを各別に制御できるように構成されている。
【００６６】
投光器は、電源ユニット４０から電源コード４０ｂを介して電力が供給される。電源ユニット４０は、コントローラ４１からの信号に基づいて、投光器のＬＥＤモジュール１０の発光を制御することができるように構成されている。電源ユニット４０は、接続コード４１ｂを介して、コントローラ４１に電気的に接続されている。コントローラ４１は、電源ユニット４０が投光器に給電する電力を制御することができる。コントローラ４１は、たとえば、マイクロコンピュータなどを用いて構成することができる。
【符号の説明】
【００６７】
２  ＬＥＤ
２ｆ  第１ＬＥＤ
２ｓ  第２ＬＥＤ
２ｃ  有色ＬＥＤ
２ｒ  赤色ＬＥＤ
２ｇ  緑色ＬＥＤ
２ｂ  青色ＬＥＤ
２Ｎ  第１距離
２Ｌ  第２距離
３  配線基板
３ｆ  第１回路
３ｒ  第２回路
３ｇ  第３回路
３ｂ  第４回路
１０  ＬＥＤモジュール
１０Ｇ  グループ
３０  照明器具
３１  器具本体
【図１】
0006558672.tif 000002
【図２】
0006558672.tif 000003
【図３】
0006558672.tif 000004
【図４】
0006558672.tif 000005
【図５】
0006558672.tif 000006
【図６】
0006558672.tif 000007
【図７】
0006558672.tif 000008
【図８】
0006558672.tif 000009